(57)【要約】【課題】個々の視聴者個別に最適な音場空間を提供する。【解決手段】ＤＳＰ（Ｄｉｇｉｔａｌ  Ｓｉｇｎａｌ  Ｐｒｏｃｅｓｓｏｒ）データが記録されたランダムアクセス可能な記録媒体６と、上記ＤＳＰデータに従って音声信号を音場処理するＤＳＰ１０と、スピーカ１４から出力される音声を集音するマイクロフォン２０と、ネットワークに接続し、そのネットワーク上に存在する仮想現実空間にマイクロフォン２０で集音されたデータをアップロードし、アップロードされたデータをもとに上記仮想現実空間にある音場処理部において設計されたＤＳＰデータをダウンロードし、記録媒体６に記録するネットワークＩ／Ｆ１５およびコーディネータ１８とを備える。【選択図】        図１
2004166113.tif 000002
【特許請求の範囲】
【請求項１】
デジタル音声またはデジタル映像音声を記録再生するデジタル記録再生装置において、
音場処理制御データが記録されたランダムアクセス可能な記録媒体と、
上記音場処理制御データに従って音声信号を音場処理する音場処理手段と、
ネットワークに接続し、そのネットワーク上に存在する仮想現実空間に視聴者個別のデータをアップロードし、アップロードされたデータをもとに上記仮想現実空間にある音場処理部において設計された音場処理手段の音場処理制御データをダウンロードし、上記記録媒体に記録するネットワーク接続手段と
を備えた
ことを特徴とするデジタル記録再生装置。
【請求項２】
ピンクノイズを発生させてスピーカに出力するピンクノイズ発生手段と、
上記スピーカから出力される上記ピンクノイズの音声を集音する集音手段と
をさらに備え、
上記音場処理手段は、入力音声データを複数の周波数成分に分別して処理するデジタルフィルタで構成されており、
上記ネットワーク接続手段は、上記集音手段によって集音されたデータをアップロードし、アップロードされたデータをもとに上記ネットワーク上の音場処理部において視聴者個別の音場空間をフラットな周波数特性にするように設計された音場処理手段の音場処理制御データをダウンロードする
ことを特徴とする請求項１記載のデジタル記録再生装置。
【請求項３】
スピーカから出力される音声を集音する集音手段と、
視聴者数を監視する監視手段と、
視聴者が音場関連の設定変更を入力する入力手段と
をさらに備え、
上記音場処理手段は、入力音声データを複数の周波数成分に分別して処理するデジタルフィルタで構成されており、
上記ネットワーク接続手段は、上記集音手段によって集音されたデータ、上記監視手段によって監視された視聴者数の情報、および視聴者が入力した音場関連の設定変更情報をアップロードし、アップロードされたデータをもとに上記ネットワーク上の音場処理部において上記音場関連の設定変更情報および視聴者数に適合するように設計された音場処理手段の音場処理制御データをダウンロードする
ことを特徴とする請求項１または２に記載のデジタル記録再生装置。
【請求項４】
上記ネットワーク接続手段は、上記設計された視聴者個別の音場処理制御データの全てをダウンロードする必要があるのか、一部をダウンロードすればよいのかを判断し、それに応じて上記設計された音場処理制御データの全てまたは一部をダウンロードする
ことを特徴とする請求項１から３までのいずれかに記載のデジタル記録再生装置。
【請求項５】
上記ネットワーク接続手段が上記ネットワークから新機能実現のためのプログラムをダウンロードして上記記録媒体に記録し、このプログラムに従って上記新機能で動作する
ことを特徴とする請求項１から４までのいずれかに記載のデジタル記録再生装置。
【請求項６】
上記ネットワーク接続手段が、無線ＬＡＮインターフェイスを介して上記ネットワークにアクセスする
ことを特徴とする請求項１から５までのいずれかに記載のデジタル記録再生装置。
【請求項７】
上記記録媒体が、ＨＤＤである
ことを特徴とする請求項１から６までのいずれかに記載のデジタル記録再生装置。
【発明の詳細な説明】
【０００１】
【発明の属する技術分野】
本発明は、デジタル音声またはデジタル映像音声を記録再生するデジタル記録再生装置であって、音声信号の音場処理が可能なデジタル記録再生装置に関するものである。
【０００２】
【従来の技術】
デジタル記録再生装置を含んで構成されるオーディオシステムでは、臨場感の得られる音場空間を作り出すことが要求される。このため、デジタル記録再生装置には、音声信号の音場処理をするＤＳＰ（Ｄｉｇｉｔａｌ  Ｓｉｇｎａｌ  Ｐｒｏｃｅｓｓｏｒ）などの音場処理手段を備えたものがある。
【０００３】
このような音場処理が可能な従来のデジタル記録再生装置では、ＤＳＰのデジタルフィルタを構成するためのＤＳＰパラメータがあらかじめ記録媒体に複数記録されており、視聴者は上記複数のＤＳＰパラメータの内の１つを選択し、その選択されたＤＳＰパラメータに従ってＤＳＰのデジタルフィルタが構成される（例えば、特許文献１参照）。
【０００４】
【特許文献１】
特開２０００−２０９７００号公報（段落［００１２］から［００４９まで］、図１）
【０００５】
【発明が解決しようとする課題】
しかしながら上記従来のデジタル記録再生装置には、スタンドアロン型であり、記録媒体に記録されているＤＳＰパラメータそのものを書き換える機能はなく、あらかじめ記録されているいずれかのＤＳＰパラメータを選択してＤＳＰのデジタルフィルタを構成し、音場処理をするため、視聴者個別の細かな要求に応じて最適な音場空間を実現することが困難であった。スタンドアロン型の従来のデジタル記録再生装置内に、視聴者個別の要求に応じて上記デジタルフィルタを設計するプログラムを保持させることは、記録媒体の有効利用の観点から得策ではない。
【０００６】
本発明は、このような従来の課題を解決するためになされたものであり、視聴者個別に最適な音場空間を作り出すことができるデジタル記録再生装置を提供することを目的とするものである。
【０００７】
【課題を解決するための手段】
本発明のデジタル記録再生装置は、視聴者個別の音場空間に最適な音場処理手段を構築する音場処理制御データ（音場処理を制御するためのパラメータおよびプログラム）、さらには新機能実現のためのプログラムをネットワーク上からダウンロードするものである。
【０００８】
【発明の実施の形態】
実施の形態１．
図１は本発明の実施の形態１のデジタル記録再生装置のブロック構成図である。このデジタル記録再生装置は、デジタル放送の映像音声を受信して記録再生可能である。
【０００９】
図１のデジタル記録再生装置は、アンテナ１と、デジタルチューナ２と、データコントロール３と、映像音声データが記録されるランダムアクセス可能な記録媒体４と、ＭＰＥＧ２デコーダ５と、音場処理に関するデータが記録されるランダムアクセス可能な記録媒体６と、映像信号生成部７と、音声信号生成部８と、ＣＰＵ９と、ＤＳＰ（Ｄｉｇｉｔａｌ  Ｓｉｇｎａｌ  Ｐｒｏｃｅｓｓｏｒ）１０と、映像出力回路１１と、音声出力回路１２と、ＣＲＴ１３と、スピーカ１４と、ネットワークインターフェイス（ネットワークＩ／Ｆ）１５と、入力検出回路１６と、本体入力部１７と、コーディネータ１８と、リモートコントロール（リモコン）１９と、マイクロフォン２０と、ＣＣＤカメラ２１と、Ａ／Ｄコンバータ２２と、映像処理部２３と、人感センサー２４と、ピンクノイズ発生部２５とを備えて構成されている。
【００１０】
デジタル記録再生装置本体１００には、デジタルチューナ２と、データコントロール３と、記録媒体４と、ＭＰＥＧ２デコーダ５と、記録媒体６と、映像信号生成部７と、音声信号生成部８と、ＣＰＵ９と、ＤＳＰ１０と、映像出力回路１１と、音声出力回路１２と、ネットワークＩ／Ｆ１５と、入力検出回路１６と、本体入力部１７と、コーディネータ１８と、Ａ／Ｄコンバータ２２と、映像処理部２３と、ピンクノイズ発生部２５とが、設けられている。
【００１１】
また、デジタル記録再生装置本体１００には、アンテナ１と、ＣＲＴ１３と、スピーカ１４と、リモコン１９と、マイクロフォン２０と、ＣＣＤカメラ２１と、人感センサー２４と、公衆ネットワーク１０２とが、有線または無線にて接続されている。
【００１２】
実施の形態１の動作について以下に説明する。まず、映像音声データの受信動作について説明する。放送電波をアンテナ１で受信し、デジタルチューナ２で復調した映像音声ストリーム（例えばＭＰＥＧ２トランスポートストリーム）をデータコントロール３に入力する。この映像音声データの受信時には、データコントロール３は、デジタルチューナ２とＭＰＥＧ２デコーダ５の接続経路をコントロールし、上記映像音声ストリームを下流のＭＰＥＧ２デコーダ５に出力する。
【００１３】
データコントロール３を介してＭＰＥＧ２デコーダ５に入力された映像音声ストリームは、ＭＰＥＧ２デコーダ５において、映像ストリームと音声ストリームに分解され、それぞれデコードされ、それぞれ映像信号生成部７、音声信号生成部８に入力される。映像信号は、映像信号生成部７から出力され、映像出力回路１１を介してＣＲＴ１３に送られる。また、音声信号は、音声信号生成部８から出力され、ＤＳＰ１０で音場処理され、音声出力回路１２を介してスピーカ１４に送られる。
【００１４】
ＤＳＰ１０は、入力音声データを複数の周波数成分に分別して音場処理するデジタルフィルタで構成されている。ＤＳＰ１のデジタルフィルタは、記録媒体６に記録されているＤＳＰデータ（ＤＳＰパラメータおよびＤＳＰプログラム）に従って構成される。ＤＳＰ１０は、ＤＳＰデータを変更することによって周波数特性および音場処理手順の変更が可能である。
【００１５】
映像音声データの記録時には、データコントロール３は、デジタルチューナ２と記録媒体４の接続経路をコントロールし、デジタルチューナ２で復調された映像音声ストリーム（例えばＭＰＥＧ２トランスポートストリーム）のＴＳデータを記録媒体４に記録蓄積する。なお、映像音声データの記録時のコントロールは、上記映像音声データの受信時のコントロールと同時になされる。
【００１６】
映像音声データの再生時には、データコントロール３は、記録媒体４とＭＰＥＧ２デコーダ５の接続経路をコントロールし、ＣＰＵ９の制御のもと、再生するＴＳデータを記録媒体４から読み出し、下流のＭＰＥＧ２デコーダ５に出力する。
【００１７】
この実施の形態１のデジタル記録再生装置は、ネットワーク上の仮想現実空間音場処理部において視聴者個別の音場空間に最適設計されたＤＳＰデータをネットワークからダウンロードし、視聴者個別の音場空間を作り出すことを特徴とする。
【００１８】
ネットワークアクセスによって視聴者個別の音場空間を構築する手順には、ピンクノイズを用いて視聴者個別の音場空間をオーディオ周波数帯域でフラット（一様）な周波数特性に補正する手順と、視聴者個別の音場空間をその視聴者の要求に応じて変更する手順の２つがある。これらの手順について以下に説明する。
【００１９】
ネットワークＩ／Ｆ１５は、装置本体１００を公衆ネットワーク１０２と接続し、コーディネータ１８からのデータをネットワークにアップロードし、ネットワークからダウンロードしたデータをコーディネータ１８に送る。
【００２０】
コーディネータ１８は、ＣＰＵ９の制御のもと、ネットワークにアップロードするデータ、ネットワークからダウンロードするデータを選択および管理し、ネットワークアクセスを制御および管理する。
【００２１】
図２は本発明の実施の形態１においてのネットワーク構成図である。なお、図２において、図１と同じものには同じ符号を付してある。実施の形態１のデジタル記録再生装置は、公衆ネットワーク１０２を介して、ネットワーク上に仮想現実空間１０１の音場処理部１０１ａにアクセスできるように構成されている。
【００２２】
図３は視聴者のリスニングルームの配置図である。図３において、ソファ２０７に位置する視聴者２０８の前面には、ＣＲＴ１３が配置されており、視聴者２０８の周囲には、フロントＬスピーカ２００、フロントセンタースピーカ２０１、フロントＲスピーカ２０２、フロントウーファスピーカ２０３、サラウンドＬスピーカ２０４、サブウーファスピーカ２０５、およびサラウンドＲスピーカ２０６が配置されている。これらのスピーカは、図１のスピーカ１４に相当する。
【００２３】
また、図３では省略してあるが、図３のリスニングルームには、図１のマイクロフォン２０、ＣＣＤカメラ２１、および人感センサー２４が配置されている。例えば、視聴者２０８が視聴する位置のソファ２０７に、マイクロフォン２０および人感センサー２４を内蔵させ、視聴者２０８がソファ２０７に座ると、人感センサー２４が認知し、マイクロフォン２０をＯＮし、その位置でのスピーカから出力された音声を集音する。また、例えば、リスニングルーム全体を見下せる位置に、ＣＣＤカメラ２３および人感センサー２４（ソファ２０７に内蔵のものとは別のもの）を配置し、試聴人数およびそれらの位置を監視する。
【００２４】
［音場補正の手順］
上記ピンクノイズを用いた音場補正の手順では、ピンクノイズ発生器２５から音声出力回路１２を介してスピーカ１４で出力したピンクノイズの音声をマイクロフォン２０で集音した集音データを、実施の形態１のデジタル記録再生装置からネットワーク上の仮想現実空間１０１にアップロードし、このアップロードされた集音データの周波数特性をもとに仮想現実空間１０１の音場処理部１０１ａにおいて視聴者個別の音場空間をオーディオ周波数帯域でフラットな周波数特性にするように設計されたＤＳＰ１０のデジタルフィルタのＤＳＰデータを上記実施の形態１のデジタル記録再生装置にダウンロードする。
【００２５】
図４は本発明の実施の形態１においてのピンクノイズを用いた音場補正の手順を説明するフローチャートである。
【００２６】
ステップＳｔ１において、例えばスピーカから音声出力を開始するときに、この音場補正の手順がスタートすると、まず、ステップＳｔ２において、視聴者に対して、ＤＳＰ１０のデジタルフィルタのチェックをするか否かを、ＣＲＴ１３に文字表示して尋ねる。視聴者は、本体入力部１７またはリモコン１９を操作して、上記のフィルタチェックをするか否かを指示する。本体入力部１７またはリモコン１９からの視聴者の入力データは、入力検出回路１６によって検出され、ＣＰＵ９に送られる。
【００２７】
上記ステップＳｔ２で、視聴者がフィルタチェックをしないと指示した場合には、ステップＳｔ３において、記録媒体６にすでに記録されているＤＳＰパラメータでＤＰＳ１０のデジタルフィルタを構成する（初期フィルタにする）。
【００２８】
また、上記ステップＳｔ２で、視聴者がフィルタチェックをすることを指示した場合は、ステップＳｔ４において、ピンクノイズ発生部２５からピンクノイズを発生させ、音声出力回路１２を介してスピーカ１４から出力する。
【００２９】
そして、ステップＳｔ５において、視聴者の視聴ポジションに配置されたマイクロフォン２０によってピンクノイズの音声を集音し、この集音信号をＡ／Ｄコンバータ２２でＡ／Ｄ変換し、ピンクノイズの集音データをＣＰＵ９に送る。コーディネータ１８およびＣＰＵ９は、このピンクノイズの集音データを、ネットワーク上での周波数特性の分析が可能なデータに変換し、さらにネットワークにアップロード可能なデータに変換して、ネットワークＩ／Ｆ１５および公衆ネットワーク１０２を介してネットワーク上の仮想現実空間１０１にアップロードする。
【００３０】
例えば、インターネット上の所定のＵＲＬに自動的にアクセスできるようになっており、インターネット上の仮想現実空間１０１に、ＨＴＭＬファイルに変換された上記ピンクノイズの集音データをアップロードする。
【００３１】
ステップＳｔ６では、ネットワーク上の仮想現実空間１０１の音場処理部１０１ａにおいて、アップロードされたピンクノイズの集音データの周波数特性を周波数分析手段で分析し、分析した周波数特性をもとに、視聴者個別の音場空間がオーディオ周波数帯域においてフラットな周波数特性になるように、窓関数を用いてＤＳＰパラメータを算出し、周波数特性を調整して、ＤＳＰ１０のデジタルフィルタの設計がなされる。
【００３２】
例えば、上記のようにインターネット上の所定のＵＲＬにアクセスする場合には、ＷＷＷサーバ内にあるＤＳＰフィルタ設計プログラムを用いて、上記フラットな周波数特性のデジタルフィルタが設計される。
【００３３】
次に、ステップＳｔ７において、ネットワーク上の仮想現実空間１０１の音声処理部１０１ａにおいて設計された上記フラットな周波数特性のデジタルフィルタのＤＳＰデータを、公衆ネットワーク１０２およびネットワークＩ／Ｆ１５を介してコーディネータ１８にダウンロードする。このダウンロードは、ダウンロードの認証および許可を得てからなされる。
【００３４】
次に、ステップＳｔ８において、上記ダウンロードしたＤＳＰデータ（ＤＳＰパラメータおよび必要に応じてＤＳＰプログラム）をコーディネータ１８に仮置きし、ＣＰＵ９の制御のもと、この仮置きしたＤＳＰパラメータに従ってＤＳＰ１０のデジタルフィルタの構成を変更し、音声信号生成部８から出力された音声データを、上記フィルタ構成を変更したＤＳＰ１０を介してスピーカ１４から出力し、視聴者に試聴させる。
【００３５】
そして、ステップＳｔ９において、上記試聴の結果、ＤＳＰ１０のフィルタ構成を補正するか否かを、視聴者にＣＲＴ１３での文字表示または音声で尋ねる。視聴者は、本体入力部１７またはリモコン１９を操作して、ＤＳＰ１０のフィルタ構成を補正するか否かを指示する。本体入力部１７またはリモコン１９からの視聴者の入力データは、入力検出回路１６によって検出され、ＣＰＵ９に送られる。
【００３６】
上記ステップＳｔ９で、視聴者がＤＳＰ１０のフィルタ構成を試聴したものに補正すると指示した場合は、ステップＳｔ１０において、コーディネータ１８に仮置きしていたＤＳＰデータを記録媒体６に上書き記録または追記記録する。この場合、ＤＳＰ１０のフィルタ構成は、ダウンロードしたＤＳＰパラメータに従ったものとなり、視聴者の音場空間はオーディオ周波数帯域においてフラットな周波数特性に補正される。
【００３７】
また、上記ステップＳｔ９で、視聴者がＤＳＰ１０のフィルタ構成を補正しないことを指示した場合は、ＤＳＰ１０のフィルタ構成を、すでに記録媒体６に記録されていたＤＳＰパラメータに従ったものに戻す（初期フィルタに戻す）。この場合、ダウンロードしたＤＳＰデータは、記録媒体６には記録されない。
【００３８】
［音場変更の手順］
上記視聴者の要求に応じた音場変更の手順においては、ＭＰＥＧ２デコーダ５から音声信号生成部８とＤＳＰ１０と音声出力回路１２とを介してスピーカ１４で出力した音声をマイクロフォン２０で集音した集音データ、ＣＣＤカメラ２１および人感センサー２４によって監視した視聴者数の情報、および視聴者が入力した音場関連の設定変更情報を、実施の形態１のデジタル記録再生装置からネットワーク上の仮想現実空間１０１にアップロードし、アップロードされたデータをもとに仮想現実空間１０１の音場処理部１０１ａにおいて上記設定変更入力情報および上記視聴者数に適合するように設計されたＤＳＰ１０のデジタルフィルタのＤＳＰデータを上記実施の形態１のデジタル記録再生装置にダウンロードする。
【００３９】
上記音場変更の手順は、図４の音場補正の手順と同様になされるが、異なる事項について以下に説明する。
【００４０】
ステップＳｔ１の手順のスタート時は、例えば視聴者が音場関連の設定変更（例えば音声バランスまたは音質の変更）を入力したときである。
【００４１】
視聴者が本体入力部１７またはリモコン１９を操作して入力した音場関連の設定変更（例えば音声バランスまたは音質の設定変更）の指示は、入力検出回路１６で検出され、ＣＰＵ９に送られる。ＣＰＵ９は、この音場関連の設定変更に応じた制御をするとともに、この音場関連の設定変更情報を、必要に応じて記録媒体６に記録蓄積する。
【００４２】
ステップＳｔ４およびＳｔ５では、視聴者が入力した音場関連の設定変更情報、ならびに設定変更入力時の音声ストリームの集音データおよび視聴者数の情報のアップロードがなされる。
【００４３】
ＣＣＤカメラ２１で撮影された映像信号は、映像処理部２３で処理され、ＣＰＵ９に送られる。人感センサー２４の検知信号は、入力検出回路１６で検出され、ＣＰＵ９に送られる。ＣＰＵ９は、これらの映像信号および検知信号をもとに、視聴者数を監視しており、その視聴者数の情報を、必要に応じて記録媒体６に記録蓄積している。
【００４４】
また、ＭＰＥＧ２デコーダ５から音声信号生成部８とＤＳＰ１０と音声出力回路１２とを介してスピーカ１４から出力された音声ストリームの音声は、視聴者の視聴ポジションに配置されたマイクロフォン２０によって集音され、Ａ／Ｄコンバータ２２でＡ／Ｄ変換され、ＣＰＵ９に送られる。ＣＰＵ９は、この音声ストリームの集音データを、必要に応じて記録媒体６に記録蓄積している。
【００４５】
なお、上記ステップＳｔ４およびＳｔ５では、必要に応じて、設定変更入力時のＤＳＰ１０のデジタルフィルタの構成に用いられているＤＳＰデータを記録媒体６から読み出してアップロードするとともに、設定変更入力時のＭＰＥＧ２デコーダ５の入力映像音声ストリームから分離した音声ストリームを周波数分析可能およびアップロード可能なデータに変換したものもアップロードする。
【００４６】
ステップＳｔ６では、ネットワーク上の仮想現実空間１０１の音場処理部１０１ａにおいて、設定変更入力情報、音声ストリームの集音データ、視聴者数などのアップロードされたデータをもとに、設定変更入力情報および視聴者数に適合するように、ＤＳＰ１０のデジタルフィルタの設計がなされる。
【００４７】
ステップＳｔ７では、ネットワーク上の仮想現実空間１０１の音声処理部１０１ａにおいて設計された上記設定変更入力情報および視聴者数に適合したデジタルフィルタのＤＳＰデータを、公衆ネットワーク１０２およびネットワークＩ／Ｆ１５を介してコーディネータ１８にダウンロードする。ダウンロードしたＤＳＰパラメータでＤＳＰ１０のデジタルフィルタを構成すれば、視聴者の音場空間は、入力した設定変更および視聴者に適合した最適な音場空間に変更される。
【００４８】
以上のように実施の形態１によれば、視聴者個別のデジタル記録再生装置からアップロードしたデータをもとにネットワーク上の仮想現実空間の処理部において設計されたＤＳＰデータを視聴者個別のデジタル記録再生装置にダウンロードすることにより、ＤＳＰ１０で視聴者個別に適合した音場空間を実現するデジタルフィルタを構成でき、オーディオ周波数帯域においてフラットな周波数特性の音場空間や、視聴者の人数変動や視聴シーンに応じた臨場感のある音場空間を提供できる。
【００４９】
また、設計プログラムを視聴者個別のデジタル記録再生装置に保持させる必要がないので、記録媒体６を有効利用できる。
【００５０】
また、複数あるスピーカの位置を調整するなど、最適な音場空間を得るために視聴者が従来しなければならなかった困難な作業が不要となる。
【００５１】
実施の形態２．
この実施の形態２のデジタル記録再生装置では、コーディネータ１８は、ネットワーク上で設計されたＤＳＰデータの全てをダウンロードする必要があるのか、一部をダウンロードすればよいのかを判断し、それに応じて上記ＤＳＰデータの全てまたは一部をダウンロードする。なお、実施の形態２のデジタル記録再生装置の構成は、図１の上記実施の形態１とのデジタル記録再生装置と同様である。
【００５２】
例えば、７つのスピーカが配置された図３のリスニングルームのサブウーファ２０５のカットオフ周波数の設定において、他の５つのスピーカと鳴動させてカットオフ周波数を算出するデータをダウンロードしようとしたとき、ＣＰＵ機能を持ったコーディネータ１８は、スピーカ２００，２０１，２０２，２０４，２０６が全帯域型のスピーカであることを認識しており、低域再生専用のスピーカであるフロントウーファ２０３のみとの鳴動で足りると判断し、必要な分だけダウンロードする。
【００５３】
以上のように実施の形態２によれば、コーディネータ１８が必要なデータを判断して必要分のみダウンロードするので、データの重複を防止して効率よくダウンロードできる。
【００５４】
実施の形態３．
この実施の形態２のデジタル記録再生装置では、コーディネータ１８がネットワークから新機能実現のためのプログラムをダウンロードして記録媒体に記録し、デジタル記録再生装置はこのプログラムに従って上記新機能で動作する。なお、実施の形態２のデジタル記録再生装置の構成は、図１の上記実施の形態１とのデジタル記録再生装置と同様である。
【００５５】
デジタル記録再生装置本体１００（図１参照）のマイクミキシング端子にマイクロフォン２０のプラグが接続されると、その電圧変化を入力検出回路１６が検出し、コーディネータ１８は、マイクロフォン２０のプラグが接続されたことをＣＰＵ９を介して認識する。また、コーディネータ１８は、ＣＣＤカメラ２１などの他の接続機種も同様に認識する。
【００５６】
コーディネータ１８は、デジタル記録再生装置本体１００に現在接続されている周辺機器を認識しているとともに、デジタル記録再生装置（装置本体１００およびその周辺機器）の機能を認識している。
【００５７】
さらに、コーディネータ１８は、ネットワークを監視していおり、ネットワーク上で新機能追加や新機種のためのプログラムが掲載されると、ダウンロード可能か否かを判断し、現装置で、実現可能なものの一覧を視聴者に提示する。
【００５８】
上記一覧の中に、例えば、視聴者の要求に合致したホームセキュリティがあった場合には、コーディネータ１８は、そのホームセキュリティのプログラムをネットワークからダウンロードし、記録媒体６に記録する。そして、ＣＣＤカメラ２１の電源を常時ＯＮにして常時撮像するように設定し、その撮影映像を記録媒体６に長時間蓄積記録する。
【００５９】
上記撮像映像は、ランダムアクセス可能な記録媒体６に記録されるので、見たい映像を素早くサーチすることができる。
【００６０】
また、携帯電話のプロトコル変換のためのプログラムをさらにダウンロードすれば、インターネットを介して携帯電話で、外出先から記録媒体６に記録された映像またはＣＣＤカメラ２１のリアルタイム映像を見ることができる。
【００６１】
このようにして、自体はそのままで、常に家の中を監視するホームセキュリティ機能をデジタル記録再生装置に新たに追加でき、またはジタル記録再生装置をホームセキュリティ機に変更できる。
【００６２】
以上のように実施の形態３によれば、コーディネータ１８でネットワークを監視し、新機能追加や新機種のためのプログラムが掲載されるとダウンロード可能か否かを判断し、実現可能なものの一覧を視聴者に提示することにより、視聴者の要求に合致したプログラムをダウンロードでき、それによりデジタル記録再生装置に新機能を追加でき、またはデジタル記録再生装置を新機能の機器に変更できるので、エコロジーに貢献できる。
【００６３】
例えば、視聴者数を監視するＣＣＤカメラ２１を用い、新たなホームセキュリティ機能をダウンロードすることにより、デジタル記録再生装置をホームセキュリティ機に変更できる。
【００６４】
実施の形態４．
図５は本発明の実施の形態４においてのネットワーク構成図である。なお、図５において、図１または図２と同じものには同じ符号を付してある。この実施の形態５のデジタル記録再生装置の動作は、上記実施の形態１と同様である。
【００６５】
図５の実施の形態４では、デジタル記録再生装置本体１００およびその周辺機器であるＣＲＴ１３，スピーカ１４，マイクロフォン２０，ＣＣＤカメラ２１が全てに無線ＬＡＮのＩ／Ｆを有し、無線ＬＡＮ（ＩＥＥＥ８０２．３などの家庭内ネットワーク）１０３で相互に接続されている。そして、デジタル記録再生装置は、無線ＬＡＮ１０３および公衆ネットワーク１０２を介して仮想現実空間１０１にアクセスできるようになっている。
【００６６】
以上のように実施の形態４によれば、無線ＬＡＮインターフェイスを介して公衆ネットワーク１０２に接続する構成とすることにより、公衆ネットワーク１０２との接続を意識せずにデジタル記録再生装置本体１００やＣＲＴ１３を所望の位置に配置することができる。また、配線工事が不要である。
【００６７】
実施の形態５．
図６は本発明の実施の形態５のデジタル記録再生装置のブロック構成図である。なお、図６において、図１と同じものには同じ符号を付してある。この実施の形態５のデジタル記録再生装置の動作は、上記実施の形態１と同様である。
【００６８】
図６の実施の形態５のデジタル記録再生装置は、図１の上記実施の形態１のデジタル記録再生装置において、ランダムアクセス可能な記録媒体６をハードディスク（ＨＤＤ）６００で構成したものであり、その他の構成は上記実施の形態１と同じである。
【００６９】
以上のように実施の形態５によれば、ランダムアクセス可能な記録媒体をＨＤＤ６００で構成することにより、安価なデジタル記録再生装置を提供できる。
【００７０】
【発明の効果】
以上説明したように本発明によれば、視聴者個別に適合した音場空間を実現する音場処理手段を構成でき、オーディオ周波数帯域においてフラットな周波数特性の音場空間や、視聴者の人数変動や視聴シーンに応じた臨場感のある音場空間を提供できるという効果がある。
【図面の簡単な説明】
【図１】本発明の実施の形態１においてのデジタル記録再生装置のブロック構成図である。
【図２】本発明の実施の形態１においてのおよびネットワーク構成図である。
【図３】視聴者のリスニングルームの配置図である。
【図４】本発明の実施の形態１においての音場補正の手順を説明するフローチャートである。
【図５】本発明の実施の形態４においてのネットワーク構成図である。
【図６】本発明の実施の形態５のデジタル記録再生装置のブロック構成図である。
【符号の説明】
１  アンテナ、  ２  デジタルチューナ、  ３  データコントロール、  ４  記録媒体、  ５  ＭＰＥＧ２デコーダ、  ６  記録媒体、  ７  映像信号生成部、  ８  音声信号生成部、  ９  ＣＰＵ、  １０  ＤＳＰ、  １１  映像出力回路、  １２  音声出力回路、  １３  ＣＲＴ、  １４  スピーカ、  １５  ネットワークインターフェイス、  １６  入力検出回路、  １７  本体入力部、  １８  コーディネータ、  １９  リモートコントロール、  ２０  マイクロフォン、  ２１  ＣＣＤカメラ、  ２２  Ａ／Ｄコンバータ、  ２３  映像処理部、  ２４  人感センサー、  ２５  ピンクノイズ発生部、  １００  デジタル記録再生装置本体、  １０１  仮想現実空間、  １０１ａ  音場処理部、  １０２  公衆ネットワーク、  １０３  家庭内無線ネットワーク、  ２００  フロントＬスピーカ、  ２０１  フロントセンタースピーカ、  ２０２  フロントＲスピーカ、  ２０３  フロントウーファスピーカ、  ２０４  サラウンドＬスピーカ、  ２０５  サブウーファスピーカ、  ２０６  サラウンドＲスピーカ、  ２０７  ソファ、  ２０８  視聴者の試聴位置、  ６００  ＨＤＤ。
【図１】
2004166113.tif 000003
【図２】
2004166113.tif 000004
【図３】
2004166113.tif 000005
【図４】
2004166113.tif 000006
【図５】
2004166113.tif 000007
【図６】
2004166113.tif 000008